(57)【要約】【課題】便器本体に供給する洗浄水の水量が変動しても、節水化を図りつつ便器洗浄を良好に行うことができる水洗式便器を提供する。【解決手段】水洗式便器は、便鉢部２０及び便器排水路３０を有した便器本体１０と、便器洗浄装置４０とを備えている。便器排水路３０は、上昇流路３２と、下降流路３３とから構成され、便器洗浄装置４０が便器本体１０に設定水量の洗浄水を供給した際の便鉢部２０及び上昇流路３２に貯留された封水の水位よりも高い位置に上昇流路３２から下降流路３３に変化する下端側に形成された頂部３４を有している。便器洗浄装置４０は、設定水量よりも少ない最低水量と、設定水量よりも多い最高水量との間で便器本体１０に供給する洗浄水の水量が変動する。便鉢部２０及び上昇流路３２は、便器洗浄装置４０が便器本体１０に最低水量の洗浄水を供給した際の封水の水位が流入口３１の上端部から規定高さＨ以上になるように形成されている。【選択図】図１
2012041793.tif 000002
【特許請求の範囲】
【請求項１】
便鉢部、及びこの便鉢部の下流側に連通した便器排水路を有した便器本体と、この便器本体に洗浄水を供給する便器洗浄装置とを備えた水洗式便器であって、
前記便器排水路は、
前記便鉢部の下部に流入口を設けて斜め上方に延びた上昇流路と、この上昇流路の上端部に連通して下方に延びた下降流路とから構成され、
前記便器洗浄装置が前記便器本体に設定水量の洗浄水を供給した際の洗浄後の待機状態における前記便鉢部及び前記上昇流路に貯留された封水の水位よりも高い位置に前記上昇流路から前記下降流路に変化する下端側に形成された頂部を有しており、
前記便器洗浄装置は、
前記便器本体に洗浄水を供給する際の諸条件により、前記設定水量よりも少ない最低水量と、前記設定水量よりも多い最高水量との間で前記便器本体に供給する洗浄水の水量が変動するものであり、
前記便鉢部及び前記上昇流路は、
前記便器洗浄装置が前記便器本体に前記最低水量の洗浄水を供給した際の前記便鉢部及び前記上昇流路に貯留された封水の水位が前記流入口の上端部から規定高さ以上になるように形成されていることを特徴とする水洗式便器。
【請求項２】
前記頂部は、前記便器洗浄装置が前記最高水量の洗浄水を前記便器本体に供給した際に前記便鉢部及び前記上昇流路に貯留された封水の水位以上の位置に形成されていることを特徴とする請求項１記載の水洗式便器。
【請求項３】
前記便鉢部は、前記流入口の下端部から連続して形成され、前記流入口の上端部の高さ付近から前記頂部の高さ付近まで急激に立ち上げられた急傾斜面を有していることを特徴とする請求項１又は２記載の水洗式便器。
【請求項４】
前記急傾斜面は前記流入口の近傍に形成されていることを特徴とする請求項３記載の水洗式便器。
【発明の詳細な説明】
【技術分野】
【０００１】
本発明は水洗式便器に関する。
【背景技術】
【０００２】
特許文献１には従来の水洗式便器が開示されている。この水洗式便器は、便器本体と、この便器本体に洗浄水を供給する便器洗浄装置とを備えている。便器本体は、便鉢部と、この便鉢部の下流側に連通した便器排水路とを有している。便器排水路は、便鉢部の下部に流入口を設けて斜め上方に延びた上昇流路と、この上昇流路の上端部に連通して下方に延びた下降流路とから構成されている。便器排水路は上昇流路から下降流路に変化する下端側に形成された頂部を有している。
【０００３】
便器洗浄装置は、便器本体に洗浄水を供給した際に便鉢部及び上昇流路に貯留された封水の水位が頂部よりも低くなるように、便器本体に供給する洗浄水の水量をコントロールしている。この便器洗浄装置は、流量計を設けて積算流量を管理することにより、給水圧にかかわらず所定の給水量を供給することができる。また、この便器洗浄装置は、封水の水位を検知する反射型センサを設けて水位を検知することにより、所定の水位になるよう洗浄水を供給することができる。このように流量計や反射型センサを設けることによって、この便器洗浄装置は封水の水位が確実に便器排水路の頂部よりも低くなるように洗浄水を供給することができる。
【０００４】
この水洗式便器は、封水の水位が便器排水路の頂部よりも低いため、次の便器洗浄の初期に便器洗浄装置から供給する洗浄水は、便鉢部及び上昇流路に貯留された封水の水位を高くすることに利用される。つまり、この水洗式便器は、便器洗浄の初期に便器洗浄装置から供給する洗浄水が頂部から下降流路に溢れ出さず、サイホン作用の発生等による汚物等の排出に利用することができる。このため、この水洗式便器は、洗浄水を無駄に排水しないため、節水を図ることができる。
【先行技術文献】
【特許文献】
【０００５】
【特許文献１】特開平３−９０７４６号公報
【発明の概要】
【発明が解決しようとする課題】
【０００６】
しかし、この水洗式便器では、封水の水位が頂部よりも低くなるように、便器洗浄装置によって便器本体に供給する洗浄水の水量をコントロールしなければならない。この便器洗浄装置において、確実に封水の水位が頂部よりも低くするようにコントロールするためには、流量計を設けたり、反射型センサを設けたりしなければならない。このため、水洗式便器の構成部品が増え、便器洗浄装置の制御が複雑化してしまう。また、便器洗浄装置に流量計や反射型センサを設けたとしても、水量を一定に制御することは現実的には困難である。
【０００７】
本発明は、上記従来の実情に鑑みてなされたものであって、便器本体に供給する洗浄水の水量が変動しても、節水化を図りつつ便器洗浄を良好に行うことができる水洗式便器を提供することを解決すべき課題としている。
【課題を解決するための手段】
【０００８】
本発明の水洗式便器は、便鉢部、及びこの便鉢部の下流側に連通した便器排水路を有した便器本体と、この便器本体に洗浄水を供給する便器洗浄装置とを備えた水洗式便器であって、
前記便器排水路は、
前記便鉢部の下部に流入口を設けて斜め上方に延びた上昇流路と、この上昇流路の上端部に連通して下方に延びた下降流路とから構成され、
前記便器洗浄装置が前記便器本体に設定水量の洗浄水を供給した際の洗浄後の待機状態における前記便鉢部及び前記上昇流路に貯留された封水の水位よりも高い位置に前記上昇流路から前記下降流路に変化する下端側に形成された頂部を有しており、
前記便器洗浄装置は、
前記便器本体に洗浄水を供給する際の諸条件により、前記設定水量よりも少ない最低水量と、前記設定水量よりも多い最高水量との間で前記便器本体に供給する洗浄水の水量が変動するものであり、
前記便鉢部及び前記上昇流路は、
前記便器洗浄装置が前記便器本体に前記最低水量の洗浄水を供給した際の前記便鉢部及び前記上昇流路に貯留された封水の水位が前記流入口の上端部から規定高さ以上になるように形成されていることを特徴とする。
【０００９】
この水洗式便器では、便器洗浄の実行により、多くの場合、便鉢部及び上昇流路に貯留された封水の水位が便器排水路の頂部よりも低い位置になる。このため、この水洗式便器は、封水が貯留される際に封水が下降流路側に溢れ出すことが殆どなく、便器排水路より下流側に無駄に排水されることを抑制することができる。よって、この水洗式便器は、便器洗浄装置が便器本体に供給する洗浄水の水量を少なくして、節水化を図ることができる。また、この水洗式便器では、便器洗浄装置が便器本体に供給する洗浄水が最低水量であっても便鉢部及び上昇流路に貯留された封水の水位が流入口の上端部から規定高さ以上になる。つまり、日本工業規格で規定された封水高さ（５０ｍｍ以上）を満たすことができる。このため、この水洗式便器は良好に使用することができる。
【００１０】
また、この水洗式便器では、使用者が用便をした際、便鉢部及び上昇流路に貯留された封水が頂部から下降流路に溢れ出さない、若しくは溢れ出る量が少ない。このように、この水洗式便器は、封水が便器洗浄を開始する前に無駄に排水されることを抑制することができるため、節水化を図ることができる。また、便鉢部及び上昇流路に貯留された封水の殆どを汚物等の排出に利用することができる。このため、この水洗式便器は便器洗浄を良好に行うことができる。
【００１１】
さらに、封水の水位よりも高い位置に頂部を有しているため、便器排水路よりも下流側の排水管内の圧力の変動による封水切れがおこり難い。このため、このような封水切れが原因で便器本体に洗浄水を供給することが殆ど無くなり、節水を図ることができる。また、封水切れが殆ど無くなるため便器の品質の向上を図ることができる。
【００１２】
また、この水洗式便器では、使用者が排泄した大小便によって便鉢部及び上昇流路に貯留された封水の水位が上昇する。このように、この水洗式便器は、便器洗浄装置が便器本体に洗浄水を供給せずに便鉢部及び上昇流路に貯留された封水の水位を上昇させ、封水の位置エネルギーを増大させることができる。この増大した封水の位置エネルギーは、便器洗浄の際に便器本体に供給される洗浄水との相乗効果により、便器排水路にサイホン作用を発生させる等、便器排水路から汚物等を良好に排出することに利用することができる。特に、この水洗式便器は、頂部の高さを高く設計できるため、頂部の高さを高くすることによって封水の位置エネルギーを増大して、汚物等をさらに良好に排出することができる。
【００１３】
したがって、本発明の水洗式便器は、便器本体に供給する洗浄水の水量が変動しても、節水化を図りつつ便器洗浄を良好に行うことができる。
【００１４】
前記頂部は、前記便器洗浄装置が前記最高水量の洗浄水を前記便器本体に供給した際に前記便鉢部及び前記上昇流路に貯留された封水の水位以上の位置に形成され得る。この場合、便器洗浄装置が最高水量の洗浄水を便器本体に供給しても封水が確実に頂部から下降流路側に溢れ出ないようにすることができる。このため、この水洗式便器は洗浄水を無駄に便器排水路より下流側に排水せず、洗浄水を有効に利用して便器洗浄を良好に行うことができる。
【００１５】
前記便鉢部は、前記流入口の下端部から連続して形成され、前記流入口の上端部の高さ付近から前記頂部の高さ付近まで急激に立ち上げられた急傾斜面を有し得る。この場合、便器洗浄装置から便器本体に供給する洗浄水の水量が通常の変動内（最低水量と最高水量との間の変動）で変動して封水の水位が昇降しても、便鉢部に形成される封水の水面の面積の変動を少なくすることができる。このため、この水洗式便器は、その使用者に洗浄水の水量の変動が気付かれずに、使用者が違和感なく利用することができる。
【００１６】
前記急傾斜面は前記流入口の近傍に形成され得る。この場合、封水が貯留される便鉢部の下部の容量が少なくなるため、封水の水位を容易に上昇させることができる。つまり、封水の位置エネルギーが容易に高まり、その封水の位置エネルギーを利用して、便器洗浄を良好に行うことができる。
【図面の簡単な説明】
【００１７】
【図１】実施例の水洗式便器を示す断面図である。
【図２】実施例の水洗式便器を示す平面図である。
【図３】実施例の水洗式便器において封水の水位上昇を示す断面図である。
【図４】実施例の水洗式便器の洗浄パターンを示すグラフである。
【発明を実施するための形態】
【００１８】
本発明の水洗式便器を具体化した実施例を図面を参照しつつ説明する。
【００１９】
＜実施例＞
実施例の水洗式便器は、図１及び図２に示すように、便器本体１０と便器洗浄装置４０とを備えている。便器本体１０は、便鉢部２０、及びこの便鉢部２０の下流側に連通した便器排水路３０を有している。便鉢部２０は上部開口の周縁部に棚状に形成されたリム通水路２１を有している。
【００２０】
便器排水路３０は上昇流路３２と下降流路３３とから構成されている。上昇流路３２は、便鉢部２０の下部に前後方向に開口した流入口３１を設けて便鉢部２０の背面に沿って斜め上方に延びている。下降流路３３は上昇流路３２の上端部に連通して下方に延びている。下降流路３３は下端部を排水接続具５０の上端開口に連通している。排水接続具５０は下端部を図示しない床面に引き出された排水管に連通している。
【００２１】
便器排水路３０は上昇流路３２から下降流路３３に変化する下端側に形成された頂部３４を有している。頂部３４は、便器洗浄装置４０が便器本体１０に設定水量の洗浄水を供給した際の便鉢部２０及び上昇流路３２に貯留された封水の水位Ｌ１よりも高い位置に形成されている。また、この頂部３４は、後述するように、便器洗浄装置４０が便器本体１０に最高水量の洗浄水を供給した際の便鉢部２０及び上昇流路３２に貯留された封水の水位Ｌ３とほぼ同じ高さに形成されている。このため、この水洗式便器は、封水が貯留される際に封水が下降流路３３側に溢れ出すことがなく、洗浄水を無駄に便器排水路３０より下流側に排水してしまわない。よって、この水洗式便器は便器洗浄装置４０が便器本体１０に供給する洗浄水の水量を少なくして、節水化を図ることができる。
【００２２】
便鉢部２０は、流入口３１の下端部から連続して形成され、流入口３１の上端部３１Ａの高さ付近から便器排水路３０の頂部３４の高さ付近まで急激に立ち上げられた急傾斜面２２を有している。急傾斜面２２は流入口３１の近傍に形成されている。このため、封水が貯留される便鉢部２０の下部の容量が少なくなるため、封水の水位を容易に上昇させることができる。つまり、封水の位置エネルギーが容易に高まり、その封水の位置エネルギーを利用して、便器洗浄を良好に行うことができる。
【００２３】
便鉢部２０及び上昇流路３２は、後述するように、便器洗浄装置４０が便器本体１０に最低水量の洗浄水を供給した際の便鉢部２０及び上昇流路３２に貯留された封水の水位Ｌ２が流入口３１の上端部３１Ａから規定高さＨ（５０ｍｍ）以上になるように形成されている。つまり、最低水量の洗浄水が貯留された際に、封水の水位Ｌ２が規定高さＨ以上になるように、便鉢部２０及び上昇流路３２の形状及び大きさ（容量）が決められている。このように、この水洗式便器は、日本工業規格で規定された封水高さ（５０ｍｍ以上）を満たすことができ、良好に使用することができる。
【００２４】
便器洗浄装置４０は、弁ユニット４１と、弁ユニット４１に設けられたリム側開閉弁４２Ａ及びジェット側開閉弁４２Ｂの開閉を制御する制御装置４３と、弁ユニット４１の上流側に連結された給水管４７と、弁ユニット３１に下流側に連結されたリム側給水管４８Ａ及びジェット側給水管４８Ｂとを有している。
【００２５】
弁ユニット４１は、便器本体１０の後部に取り付けられた取付金具Ｋによって便器本体１０の後端部後方に配置されている。弁ユニット４１は、給水管４７の下流端が連結した給水路４４と、この給水路４４の上流端を分岐して形成したリム側給水路４６Ａ及びジェット側給水路４６Ｂとを有している。給水管４７は図示しない給水源に連通している。弁ユニット４１は、給水路４４に設けられた定流量弁４５と、リム側給水路４６Ａに設けられ、リム側給水路４６Ａを開閉するリム側開閉弁４２Ａと、ジェット側給水路４６Ｂに設けられ、ジェット側給水路４６Ｂを開閉するジェット側開閉弁４２Ｂとを有している。
【００２６】
リム側給水路４６Ａの下流端にはリム側給水管４８Ａが連結し、ジェット側給水路４６Ｂの下流端にはジェット側給水管４８Ｂが連結している。リム側給水管４８Ａは下流端にリムノズル４９Ａを連結している。ジェット側給水管４８Ｂは下流端にジェットノズル４９Ｂを連結している。リムノズル４９Ａは、便鉢部２０の先端側からみて左側の後方に配置されており、リム通水路２１に沿って洗浄水を吐水するリム吐水口が先端部に貫設されている。ジェットノズル４９Ｂは、上昇流路３２の下端部に取り付けられており、上昇流路３２に沿って洗浄水を吐水するジェット吐水口が先端部に貫設されている。
【００２７】
次に、このように構成された水洗式便器を使用者が利用して便器洗浄行う工程を説明する。
【００２８】
［待機状態］
使用者に使用される前の待機状態では、水洗式便器は、図３に示すように、先の便器洗浄によって便鉢部２０及び上昇流路３２に貯留された封水の水位Ｌ４が頂部３４よりも低い位置にある。
【００２９】
［使用者の用便］
使用者が用便をした際、使用者が排泄した大小便Ｆによって便鉢部２０及び上昇流路３２に貯留された封水の水位は水位Ｌ５に上昇する。このように、この水洗式便器は、便器洗浄装置４０が便器本体１０に洗浄水を供給せずに便鉢部２０及び上昇流路３２に貯留された封水の水位を上昇させ、封水の位置エネルギーを増大させることができる。この増大した封水の位置エネルギーは、便器洗浄の際に便器本体１０に供給される洗浄水との相乗効果により、便器排水路３０にサイホン作用を発生させる等、便器排水路３０から汚物等を良好に排出することに利用することができる。
【００３０】
［便器洗浄（第１リム洗浄）］
使用者の用便後、図示しない便器洗浄スイッチが操作されると、図４に示すように、先ず、制御装置４３がリム側開閉弁４２Ａを設定時間の間、開弁して第１リム洗浄を実行する。第１リム洗浄の実行によって、リム吐水口から水量Ｒ１の洗浄水がリム通水路３２に沿って吐水され、便鉢部２０に流入する。
【００３１】
リム吐水口から吐水される洗浄水の単位時間当たりの流量Ｑは、弁ユニット４１に設けられた定流量弁４５の個体差や、給水圧の変動等の諸条件によって、設定流量Ｑ１よりも少ない最低流量Ｑ２と、設定流量Ｑ１よりも多い最高流量Ｑ３との間で変動する。このため、第１リム洗浄でリム吐水口から吐水される洗浄水の水量Ｒ１も設定水量よりも少ない最低水量Ｒ１minと、設定水量よりも多い最高水量Ｒ１maxとの間で変動する。なお、この水洗式便器は充分な洗浄性能を満足する給水圧で便器本体に洗浄水が供給される。具体的には流動圧が０．５ＭＰａ以上の条件下でこの水洗式便器は使用される。
【００３２】
第１リム洗浄が実行されると、洗浄水が便器排水路３０の頂部３４から下降流路３３側に溢れ出すとともに、便鉢部２０内の水位が上昇する。
【００３３】
［便器洗浄（ジェット洗浄）］
次に、制御装置４３は、ジェット側開閉弁４２Ｂを設定時間の間、開弁してジェット洗浄を実行する。この際、ジェット側開閉弁４２Ｂはリム側開閉弁４２Ａが閉弁する直前に開弁する。ジェット洗浄の実行によって、ジェット吐水口から水量Ｊの洗浄水が上昇流路３２に沿って吐水される。
【００３４】
ジェット吐水口から吐水される洗浄水の単位時間当たりの流量Ｑは、第１リム洗浄の際と同様、設定流量Ｑ１よりも少ない最低流量Ｑ２と、設定流量Ｑ１よりも多い最高流量Ｑ３との間で変動する。このため、ジェット洗浄でジェット吐水口から吐水される洗浄水の水量Ｊも設定水量よりも少ない最低水量Ｊminと、設定水量よりも多い最高水量Ｊmaxとの間で変動する。
【００３５】
ジェット洗浄が実行されると、ジェット吐水口から大量の洗浄水が勢いよく便器排水路３０に流入する水勢と、便鉢部２０内の水位が上昇した洗浄水の位置エネルギーとの相乗効果により、便器排水路３０の大部分に洗浄水が充満し、サイホン作用が発生する。これにより、汚物等が便鉢部２０及び便器排水路３０から排出される。ジェット洗浄の終了間際には、便鉢部２０内の洗浄水の殆どが排出されるため、サイホン作用は終了する。
【００３６】
［便器洗浄（第２リム洗浄）］
次に、制御装置４３は、再度、リム側開閉弁４２Ａを設定時間の間、開弁して第２リム洗浄を実行する。この際、リム側開閉弁４２Ａはジェット側開閉弁４２Ｂが閉弁する直前に開弁する。第２リム洗浄の実行によって、リム吐水口から水量Ｒ２の洗浄水がリム通水路３２に沿って吐水される。
【００３７】
リム吐水口から吐水される洗浄水の単位時間当たりの流量Ｑは、第１リム洗浄及びジェット洗浄の際と同様、設定流量Ｑ１よりも少ない最低流量Ｑ２と、設定流量Ｑ１よりも多い最高流量Ｑ３との間で変動する。このため、第２リム洗浄でリム吐水口から吐水される洗浄水の水量Ｒ２も設定水量よりも少ない最低水量Ｒ２minと、設定水量よりも多い最高水量Ｒ２maxとの間で変動する。
【００３８】
第２リム洗浄が実行されると、便鉢部２０及び上昇流路３２に封水が貯留される。この際、リム吐水口から吐水された洗浄水の水量が最低水量Ｒ２minであっても、図１に示すように、上昇流路３２の流入口３１の上端部３１Ａから規定高さＨ（５０ｍｍ）以上に封水の水位Ｌ２が形成される。
【００３９】
また、リム吐水口から吐水された洗浄水の水量が最高水量Ｒ２maxである場合には、便器排水路３０の頂部３４の高さとほぼ同じ高さまで封水が貯留され、封水の水位Ｌ３が形成される。このように、この水洗式便器は、第２リム洗浄の実行により、リム吐水口から吐水された洗浄水を頂部３４から下降流路３３側に溢れ出さず、洗浄水を無駄に排水しない。よって、この水洗式便器は便器洗浄装置４０が便器本体１０に供給する洗浄水の水量を少なくして、節水化を図ることができる。
【００４０】
この水洗式便器は、便鉢部２０に急傾斜面２２が形成されているため、リム吐水口から吐水された洗浄水の水量が変動して、封水が水位Ｌ２〜Ｌ３の間で昇降しても、図２に示すように、便鉢部２０に形成される封水の水面の面積の変動を少なくすることができる。このため、この水洗式便器は、その使用者に洗浄水の水量の変動が気付かれずに、使用者が違和感なく利用することができる。
【００４１】
水洗式便器は、第２リム洗浄が終了すると、待機状態に復帰する。
【００４２】
以上説明したように、実施例の水洗式便器は、便器本体１０に供給する洗浄水の水量が変動しても、節水化を図りつつ便器洗浄を良好に行うことができる。
【００４３】
本発明は上記記述及び図面によって説明した実施例に限定されるものではなく、例えば次のような実施例も本発明の技術的範囲に含まれる。
（１）実施例では、便器排水路の頂部は、便器洗浄装置が便器本体に最高水量の洗浄水を供給した際に便鉢部及び上昇流路に貯留された封水の水位とほぼ同じ高さに形成されているが、設定水量の洗浄水を供給した際に便鉢部及び上昇流路に貯留された封水の水位より高い位置であれば、それよりも低い位置に形成してもよい。
（２）実施例では、便器本体の上昇流路の下端部にジェットノズルを設け、便器洗浄装置が第１リム洗浄、ジェット洗浄、第２リム洗浄の順に便器洗浄を実行するが、ジェットノズルを設けずにリム通水路のみに洗浄水を吐水し、便鉢部及び上昇流路に封水を貯留させるものでもよい。
（３）実施例では、便器洗浄装置が給水源から洗浄水を直接的に便器本体に供給するものであるが、洗浄タンクを有し、給水源から供給された洗浄水を洗浄タンクに貯留し、洗浄タンクから便器本体に洗浄水を供給するものであってもよい。（４）実施例では、上昇流路の流入口の近傍に急傾斜面が形成されているが、急傾斜面は流入口の近傍でなくてもよい。また、急傾斜面が形成されていなくてもよい。
【符号の説明】
【００４４】
１０…便器本体
２０…便鉢部
２２…急傾斜面
３０…便器排水路
３１…流入口
３１Ａ…（流入口の）上端部
３２…上昇流路
３３…下降流路
３４…頂部
４０…便器洗浄装置
【図１】
2012041793.tif 000003
【図２】
2012041793.tif 000004
【図３】
2012041793.tif 000005
【図４】
2012041793.tif 000006